(57)【特許請求の範囲】
【請求項１】
遊技機用制御基板を収納する基板ボックス本体と、該基板ボックス本体を覆う蓋体とを備え、遊技機の機枠に設けた取付ブラケットにより保持される遊技機用基板ボックスであって、
上記基板ボックス本体である被保持部がスライダー収納室を有し、
上記スライダー収納室内にスライダーが、ラチェット機構によって一方向のみに直線的且つ不可逆に摺動可能に設けられ、
上記遊技機の機枠である保持部が取付ブラケットを備え、該取付ブラケットには複数の係止部が所定の間隔で一列に配列され、
上記スライダーが、上記複数の係止部のいずれかに選択的に係合される凸部を備え、
上記被保持部が、上記取付ブラケットの複数の係止部のいずれかと上記スライダーの凸部とを係合させる固定位置を選択的に決める位置決め手段を備え、
上記スライダーを一方向に摺動させ、上記スライダーの凸部が上記固定位置にあると、上記基板ボックス本体と上記取付ブラケットとが固定され、
上記スライダーを上記固定位置からさらに一方向に摺動させ、上記スライダーの凸部が複数の係止部のうち一の係止部と該係止部の隣に配置した次の係止部との間の解除位置にあると、上記基板ボックス本体と上記取付ブラケットとの固定が解除可能となる遊技機用基板ボックス。
【請求項２】
遊技機用制御基板を収納する基板ボックス本体と、該基板ボックス本体を覆う蓋体とから構成される遊技機用基板ボックスであって、
上記蓋体である被保持部がスライダー収納室を有し、
上記スライダー収納室内にスライダーが、ラチェット機構によって一方向のみに直線的且つ不可逆に摺動可能に設けられ、
上記基板ボックス本体である保持部が取付ブラケットを備え、該取付ブラケットには複数の係止部が所定の間隔で一列に配列され、
上記スライダーが、上記複数の係止部のいずれかに選択的に係合される凸部を備え、
上記被保持部が、上記取付ブラケットの複数の係止部のいずれかと上記スライダーの凸部とを係合させる固定位置を選択的に決める位置決め手段を備え、
上記スライダーを一方向に摺動させ、上記スライダーの凸部が上記固定位置にあると、上記基板ボックス本体と上記蓋体とが固定され、
上記スライダーを上記固定位置からさらに一方向に摺動させ、上記スライダーの凸部が複数の係止部のうち一の係止部と該係止部の隣に配置した次の係止部との間の解除位置にあると、上記基板ボックス本体と上記蓋体との固定が解除可能となる遊技機用基板ボックス。
【請求項３】
上記位置決め手段が、上記スライダーの表面に、スライダー前進方向に延びた千鳥状のジグザグ溝と、スライダー前進方向に対して直角の方向に移動可能に被保持部に設けられた位置決めピンとを備え、当該位置決めピンの先端が上記ジグザグ溝に係合されて位置決めを行う請求項１又は請求項２の遊技用基板ボックス。
【発明の詳細な説明】
【０００１】
【産業上の利用分野】
この発明は、パチンコ遊技機、パチスロ遊技機などのいわゆるコンピュータ制御された遊技機の制御基板を収納し、封印する遊技機用基板ボックスの封印機構、または、遊技用基板ボックスを遊技機枠体に固定する固定機構の封印機構に関するものであり、基板ボックスの解放回数又は取外回数が必ず明示されるようにし、この明示された解放（又は取外、以下同じ）回数を管理することによって、無断解放の有無を確認できるようにするものであり、これによって基板ボックスの正規の解放操作、再封印操作を簡便にするとともに、無断解放の有無を一目瞭然にすることができるものである。
【０００２】
【従来の技術】
コンピュータ制御された遊技機の個々の特性は制御基板に格納された制御情報（制御プログラム、制御データ等）によって大きく左右されるので、制御基板へのアクセスを厳重に管理することが必要である。他方、遊技機の制御基板については定期的な点検等のため正規のアクセスがなされるから、これを解放不能にすることはできない。このため、基板ボックスについては、これを解放可能にしておいて、解放した度毎に封印することによって、無断で解放された場合はこれを速やかに確認できるようにしている。この封印には、最も単純な方法として、いわゆる封印シールを貼って封印する方法、不可逆的なロック機構を多数用意し、その一部を使用して基板ボックスをロックし、解放する度に使用したロック機構が一つづつ破壊されるようにして、解放されたことの痕跡をその破壊によって残す方法などが採用されている。
いわゆるシールを貼って封印するものにおいては、偽造されたシールが使用されるなど、不正解放の確認が容易でない場合があり、安全対策としては万全を期し難い面があり、また、不可逆的なロック機構によるときは、正規に解放する場合、その解放操作、再封印操作が比較的面倒であり、特別な工具を使用することが必要であるなどの不便がある。他方、遊技機の基板ボックスについては、点検などのための正規の解放が少なくとも数回行われることを前提として設計がなされるので、不可逆的ロックの数が最低でも数個必要になる。このために不可逆的ロック機構を基板ボックスに付設することになるため、基板ボックスの製造コストがかさむという問題もないではない。
【０００３】
シールによる封印、不可逆的ロック機構によるものの他に、基板ボックスに錠を設け、この錠で基板ボックスをロックして、無断解放を第１次的に防止するようにし、さらに、この錠に解錠回数表示機構を設けて解錠する度にその表示が変わるようにし、この解錠回数を管理することによって無断解錠を速やかに発見できるようにするという技術思想が特開平１０−１９２５１８号公報に記載されている。このものの概要は図１に示すとおりであり、基板ボックス１の蓋体１ｂに錠３を設けて基板ボックス本体１ａと蓋体１ｂとをこの錠３でロックするようにし、錠３のシリンダー６の前面に表示手段５を付設し、この表示手段５の回転板１２を、爪車１３とラチェット爪とによるラチェット機構によって、錠３が解錠操作される度に一方向に９０度だけ間欠的に回転されるようにし、さらに、回転板１２が１回転した後は、その回転を揺動板１４などによって阻止して、それ以上の解錠操作を不能にするものである。
回転板１２の前面に９０度間隔で、残りの解錠可能な回数を表示する丸数字が表示されており、これを蓋体１ｂに設けた窓穴から確認することができるようになっており、解錠操作がなされると、回転板１２が右方向に９０度回転されて上記窓穴から見える上記丸数字が入れ代わるので、上記窓から確認される丸数字の表示が変わることになる。そして、上記丸数字による表示が１のとき、さらにもう一度解錠して再び施錠すると、揺動板１４によって上記窓穴が塞がれ、これによって再度の解錠は不可能であることを示すとともに、それ以上の解錠操作が機械的に阻止されるようになる。
上記従来技術は、基板ボックス本体１ａと蓋体１ｂとのロック機構をシリンダー錠３による可逆的ロック機構とし、また、錠の解錠回数を表示する表示手段を設け、この表示による解錠回数を管理することによって、不正解錠の有無を速やかに確認できるようにしたものであるから、錠に表示手段を付設し、解錠操作によってこれを間欠的に駆動する間欠送り機構が必要であり、機構構造が極めて複雑になる。
なお、このものは基板ボックス本体と蓋体とのロック機構であるが、この回転板によって解錠回数を表示し、この表示を管理することによって、無断解放の有無を確認できるようにするという技術思想は、基板ボックスを機枠に取り付けた取り付け機構についても適用し得るものであることは、容易に推測できることである。
他方、遊技機の基板ボックスに求められる封印機能は、基板ボックスが不正に解放されたことはないことを保証できればよいのであって、基板ボックスの解放を阻止するという意味での防護機能までも求められるわけではないから、この観点からすれば、上記従来技術における錠による防護機能は必ずしも必要でない。
【０００４】
【解決しようとする課題】
この発明は、以上の認識に基づくものであり、基板ボックスの解放回数を表示するについて、基板ボックスの係止機構の一部によって基板ボックスの解放回数が表示されるように、その係止機構を工夫することをその課題とするものである。
【０００５】
【課題解決のために講じた手段】
(１) 本発明に係る遊技機用基板ボックスは（請求項１に対応）、遊技機用制御基板を収納する基板ボックス本体と、該基板ボックス本体を覆う蓋体とを備え、遊技機の機枠に設けた取付ブラケットにより保持される遊技機用基板ボックスであって、次の(イ)〜(ト)によって構成されるものである。
(イ) 上記基板ボックス本体である被保持部がスライダー収納室を有していること、
(ロ) 上記スライダー収納室内にスライダーが、ラチェット機構によって一方向のみに直線的且つ不可逆に摺動可能に設けられていること、
(ハ) 上記遊技機の機枠である保持部が取付ブラケットを備え、該取付ブラケットには複数の係止部が所定の間隔で一列に配列されていること、
(ニ) 上記スライダーが、上記複数の係止部のいずれかに選択的に係合される凸部を備えていること、
(ホ) 上記被保持部が、上記取付ブラケットの複数の係止部のいずれかと上記スライダーの凸部とを係合させる固定位置を選択的に決める位置決め手段を備えていること、
(ヘ) 上記スライダーを一方向に摺動させ、上記スライダーの凸部が上記固定位置にあると、上記基板ボックス本体と上記取付ブラケットとが固定されること、
(ト) 上記スライダーを上記固定位置からさらに一方向に摺動させ、上記スライダーの凸部が複数の係止部のうち一の係止部と該係止部の隣に配置した次の係止部との間の解除位置にあると、上記基板ボックス本体と上記取付ブラケットとの固定が解除可能となること。
【０００６】
(２) また、本発明に係る遊技機用基板ボックスは（請求項２に対応）、遊技機用制御基板を収納する基板ボックス本体と、該基板ボックス本体を覆う蓋体とから構成される遊技機用基板ボックスであって、次の(チ)〜(カ)によって構成されるものである。
(チ) 上記蓋体である被保持部がスライダー収納室を有していること、
(リ) 上記スライダー収納室内にスライダーが、ラチェット機構によって一方向のみに直線的且つ不可逆に摺動可能に設けられていること、
(ヌ) 上記基板ボックス本体である保持部が取付ブラケットを備え、該取付ブラケットには複数の係止部が所定の間隔で一列に配列されていること、
(ル) 上記スライダーが、上記複数の係止部のいずれかに選択的に係合される凸部を備えていること、
(ヲ) 上記被保持部が、上記取付ブラケットの複数の係止部のいずれかと上記スライダーの凸部とを係合させる固定位置を選択的に決める位置決め手段を備えていること、
(ワ) 上記スライダーを一方向に摺動させ、上記スライダーの凸部が上記固定位置にあると、上記基板ボックス本体と上記蓋体とが固定されること、
(カ) 上記スライダーを上記固定位置からさらに一方向に摺動させ、上記スライダーの凸部が複数の係止部のうち一の係止部と該係止部の隣に配置した次の係止部との間の解除位置にあると、上記基板ボックス本体と上記蓋体との固定が解除可能となること。
【０００７】
【作用】
被保持部に直線的に摺動可能に保持されたスライダーの凸部を保持部に設けた取付ブラケットの第１番目の係止部に係合させることによって、被保持部が保持部に固定される。このように上記凸部が第１番目の係止部に係合している状態が、はじめて被保持部が保持部に固定されたことを表示している。また、スライダーは上記位置決め手段によって第１番目の固定位置に止められている。
上記位置決め手段によるスライダーの位置決めを解除して、スライダーを前進させ、凸部を上記取付ブラケットの第１番目の係止部から外す（第１番目の解除位置）ことにより、被保持部を保持部から分離することが可能になる。第１番目の解除位置からスライダーをさらに第２番目の固定位置まで前進させることにより、スライダーの凸部が第２番目の係止部に係合して、再び被保持部を保持部に固定することになる。スライダーの凸部が第２番目の係止部に係合している状態が、被保持部と保持部との固定が一回解除されて、再び固定されていることを表している。このように、スライダーを順次前進させることによって、保持部を被保持部に繰り返し固定することができる。そして、スライダーはラチェット機構によって後退することはできない（前進のみ可能）ので、凸部と係止部の係脱が繰り返される度に、スライダーの位置が順次確実に前方に移動して、スライダーの凸部と上記係止部とが係合している位置が変わり、この係合位置の如何によって、被保持部が保持部から外された回数を目視で確認することができる。
【０００８】
(３) 上記遊技機用基板ボックスにおいて、上記位置決め手段が、上記スライダーの表面に、スライダー前進方向に延びた千鳥状のジグザグ溝と、スライダー前進方向に対して直角の方向に移動可能に被保持部に設けられた位置決めピンとを備え、当該位置決めピンの先端が上記ジグザグ溝に係合されて位置決めを行うことができる。
【作用】
ジグザグ溝は長手方向の断片的な２つの平行な横溝と、この平行な横溝に直角方向の縦溝とがジグザグ状に連接されたものであるが、位置決めピンが停止位置にあるとき、位置決めピンの先端が上記ジグザグ溝の一方の横溝に合致しているから、当該横溝にそって摺動して次の縦溝に当接して、スライダーを係止位置に位置決めする。他方、位置決めピンを解除位置に移動させると、位置決めピンの先端が縦溝にそって摺動して他方の横溝に合致するまで移動するので、スライダーが前進可能になる。この状態でスライダーを前進させると、位置決めピンの先端が他方の横溝に沿って摺動してさらに次の縦溝に当接して、その前進動作が止まる。そして、この位置でスライダーの凸部が取付ブラケットの係止部から外れる。位置決めピンを再び停止位置に戻すとその先端が一方の横溝に合致するので、スライダーが前進可能になる。そこでスライダーを前進させると、位置決めピンの先端がさらに次の縦溝に当接して、その前進動作が止まる。そして、この位置でスライダーの凸部が取付ブラケットの次の係止部に係合する。このように位置決めピンを停止位置、解除位置に選択的に移動させることによって、スライダーの前進動作が間欠的に行われ、次の解除位置、次の固定位置で順次、確実に止まるので、保持部側と被保持部側との固定操作、解除操作を容易にかつ安定的に行うことができる。
【０００９】
【実施形態】
本発明の遊技機用基板ボックス（請求項１に対応）の実施形態を図面を参照しながら説明する。
遊技機の機枠Ａの内面に取付ブラケットＢ、Ｃを固着してあり、取付ブラケットＢに基板ボックスＤの左端を係止させて、右端を取付ブラケットＣに固定して、基板ボックスＤを機枠Ａに保持させる。
取付ブラケットＣは下辺２１、上辺２２を有する断面コ字状の部材であり、下辺２１が止め捩子ｓ１によって機枠Ａに固定されている。取付ブラケットＣの上辺２２は、４つの係止部２２ａを一定の間隔をもって配列したものであり、係止部２２ａの間が切欠き２２ｂになっていて、全体として櫛歯状部になっている。
上辺２２の裏側に間隔をおいて断面「型の裏板２３を固着している。
基板ボックスＤの基板ボックス本体３０の右端に四角なスライダー収納室３１があり、このスライダ収納室３１の底面にラチェット歯３２が形成されている。
スライダー４０の一方の側面からＺ型の凸部４１が突設されており、また、スライダー４０の上面に千鳥状のジグザグ溝４２が形成されている。このジグザグ溝４２は、図３及び図７に示すように、千鳥状に配列された横溝４２ａ，４２ｂとこの横溝に直角な縦溝４２ｃを順次連接したものである。
スライダー４０は底が解放された中空部材であるが、凸部４１の近傍に設けたポケットｐにラチェット爪４３が嵌められていて、このラチェット爪４３はばね４４で付勢されていて、その先端の傾斜爪がラチェット歯３２に係合している。
スライダー収納室３１の蓋板５０の一側に上記凸部４１を外に突出させるための切欠き５１が設けられており、この切欠き５１の内側端近傍に蓋板５０の横方向の長孔５２があり、その裏面に楕円状の凹所５３が設けられている。
位置決めピン６０は中央の環状フランジ６１の上方に突設した把持軸６２と下方に突設した位置決め軸６３とを有しており、その把持軸６２を蓋板５０の下方から長孔５２に挿入して上面に突出させている。このとき環状フランジ６１が蓋板の裏面の楕円状凹所５３に嵌合して、位置決めピン６０を長孔５２の長手方向に移動可能に案内保持している。そして、スライダー収納室３１にスライダー４０を収納し、蓋板５０を基板ボックス本体３０に取外し不能に固定してスライダー収納室３１を閉蓋した状態で、位置決め軸６３がスライダー４０のジグザク溝４２に係合する。
【００１０】
スライダー４０のラチェット爪４３がスライダー収納室３１の底面のラチェット歯３２に係合しているので、スライダーは図４において右方に前進することはできるが、後退することはできない。位置決めピン６０が長孔５２の一端（停止位置）にあるとき、位置決め軸６３がジグザグ溝４２の一方の横溝４２ａを摺動できる位置にあり、位置決めピン６０を長孔５２の他端（解除位置）に移動させたとき、位置決め軸６３がジグザグ溝４２の他方の横溝４２ｂを摺動できる位置にある。
スライダー４０がスライダー収納室３１の左端（図４の位置）にあるとき、その凸部４１は取付ブラケットＣの上辺２２の左端の係止部２２ａの外側（図３の位置）にある。位置決めピン６０を長孔５２の一端に位置させておいて、凸部４１を操作してスライダー４０を図３又は図４において右方に前進させる。このとき位置決めピン６０の位置決め軸６３がジグザグ溝４２の横溝４２ａをスライドし、その終端の縦溝４２ｃに当接してスライダーを停止させる。このとき、スライダー４０の凸部４１の先端部が取付ブラケットＣの上辺２２と裏板２３との間に侵入し、左端の係止部２２ａの下方に位置する。したがって、凸部４１が左端の係止部２２ａに係合し、基板ボックスＤが取付ブラケットＣに固定されるが、この位置で凸部４１と係止部２２ａとを止め捩子ｓ２で固着して（図２）、基板ボックスＤをリジッドに取付ブラケットＣに固着して安定させる。
止め捩子ｓ２を外し、位置決めピン６０を長孔５２の他端に移動させると、その位置決め軸６３がジグザグ溝４２の他方の横溝４２ｂの位置に位置するので、スライダー４０は再び前進可能になる。そこで、スライダーを前進させると、位置決め軸６３が横溝４２ｂを摺動し、当該横溝４２ｂの終端の縦溝４２ｃに当接し、その位置でスライダー４０は停止する。そして、この位置において凸部４１は取付ブラケットＣの最も左側の切欠き２２ｂの位置にあるので、基板ボックスＤを取付ブラケットＣから外すことが可能になる。
上記基板ボックスＤを元に戻した後、位置決めピン６０を再び長孔５２の一端（停止位置）に移動させると、その位置決め軸６３がジグザク溝４２の一方の横溝４２ａの位置に位置するので、スライダー４０を前進させることが可能になる。この状態でスライダー４０を前進させると、位置決め軸６３が一方の横溝４２ａを摺動し、次の縦溝４２ｃに当接してスライダーの前進を止める。この停止位置において凸部４１の先端部が取付ブラケットＣの２番目の係止部２２ａの下方に位置して、これに係合する。
【００１１】
以上のように基板ボックスＤを取り外して再び固定する度にスライダーは前進する。そしてスライダーは後退することができないから、スライダーの位置を恣意的に戻すことはできない。そして、取り外す度に凸部４１の位置が取付ブラケットの第１番面の係止部から第２番面、第３番目と移動する。凸部４１が何番目の係止部２２ａに係合しているかは目視で確認されるから、凸部４１が係合している係止部の順番を確認することによって、無断解放の有無を確実に発見することができる。
係止部２２ａの順番確認を容易にするために、係止部２２ａに番号を表示するのがよい。
また、上記実施例はスライダー４０の位置決め機構を、スライダー４０の上面に設けたジグザグ溝４２と蓋板５０に設けた長孔５２と位置決めピン６０とによって構成したものであるが、上記ジグザグ溝４２に相当するジクザク孔を蓋板５０に設け、上記長孔５２に相当する長溝をスライダー４０の上面に設け、位置決めピン６０の位置決め軸６３を上記長溝に摺動自在に係合させて位置決め機構を構成することもできる。この位置決め機構においては、スライダーの前進動作に連れて位置決めピン６０も前進するが、その作用効果は上記実施例の位置決め機構と格別の違いはないから、この位置決め機構は上記実施例における位置決め機構と同等のものである。
【００１２】
【他の実施の例】
実施形態１では、ジグザグ溝４２と位置決めピン６０とによる位置決め手段を採用しているが、スライダー４０の上面に断面半円状の直線溝８１を設け、この直線溝８１に所定の間隔で多数の半球状の窪み８２を設け、他方蓋板５０に係止ボール８３を保持させ、当該係止ボール８３をばね８４で付勢して上記直線溝８１に摺動自在に嵌合させるという、簡便な位置決め手段を採用することもできる。この位置決め手段によるときは、スライダー４０を固定位置、解除位置に強く止めることはできないが、係止ボール８３が上記窪み８２に落ち込むことによって、ある程度の強さでスライダー４０を固定位置、解除位置に止め、その位置に保持することができるので、格別の不都合はない。このものは、操作の安定性において上記実施形態のものに比して劣るが、機構は単純である。
【００１３】
基板ボックス本体とその蓋体との固定機構にこの発明を適用するときは（請求項２に対応）、基板ボックス本体に取付ブラケットＣの上辺２２と同様の櫛歯状部を設け、蓋体にスライダー収納室３１を設け、これにスライダーを収納することになる。
【００１４】
また、櫛歯状部の係止部２２ａとスライダーの凸部４１との係合構造については、スライダー４０を間欠的に一方向に摺動させるときに、凸部が配列された多数の係止部に順次係脱する機構であればよいのであるから、取付ブラケットの端面に筋状の溝を設け、この筋状の溝を所定の間隔で切り欠いて凸部が外れる程度の幅の切欠き部を形成して、この溝に上記凸部の先端を摺動自在に係合させる構造とすることもできる。
【００１５】
また、凸部を被保持部から直接突設し、ラチェット機構によって一方向に前進可能で後退不能の態様でスライダーを取付ブラケット（保持部）に設け、このスライダーに係止部と切欠き部とからなる櫛歯状部を設け、スライダーの前進によって上記凸部が上記櫛歯状部材の多数の係止部に順次係脱するようにすることもできる。この様な形態は、スライダーの形状構造が複雑になるので、基板ボックスを機枠に固定する固定機構には必ずしも実用的でないが、基板ボックス本体に蓋体を固定する固定機構に適用するときは、スライダーを基板ボックス本体に設けることになるので、蓋体にスライダーを設ける場合に比してその構造が単純になるから、実用上望ましい形態である。
【００１６】
また、スライダー４０を前進可能、後退不能にする機構の他の例を図９に示している。このものはスライダーにピニオン９３を設け、スライダー収納室３１の底面にラックギヤ９２を設け、このラックギヤ９２に上記ピニオン９３を噛み合わせ、弾性爪９４によってピニオン９３の逆転を阻止している。スライダー４０が前進すると、ピニオン９３は弾性爪９４を撓ませながら前進方向（図９において時計回り方向）に回転する。しかし、弾性爪９４の先端がピニオン９３の歯の背面に突き当たるのでピニオン９３は逆転できず、したがって、スライダー４０は後退することができない。この実施例は機構が複雑であるから、ラチェットギヤ３２とラチェット爪４３とによる図４、図５に示す実施例に比して、コストがかさむという難点がある。しかし、スライダーの前進動作の円滑性はこの方が優れている。
【００１７】
【発明の効果】
この発明を機枠に基板ボックスを固定する固定機構に適用した形態においては、特別な工具や器具を使用しなくても、位置決め手段による位置決めを外した状態でスライダーを少しスライドさせるだけで、スライダーの凸部が取付ブラケット等の櫛歯状部の一つの係止部から外れるので、基板ボックスを取付ブラケットから取り外すことができ、また、再びスライダーを少しスライドさせるだけで、スライダーの凸部が上記櫛歯状部の次の係止部に係合するので、基板ボックスを取付ブラケットに固定することができる。したがって、基板ボックスの取付け、取外しを簡単容易、迅速に行うことができる。
そして、スライダーは前進のみ可能で、後退することはできないから、基板ボックスの取外し、取付けが行われる度に必ずその凸部が前進し、凸部が係合している取付ブラケットの係止部の順番が変わる。したがって、凸部が係合している取付ブラケットの係止部の順番を管理することにより、基板ボックスの無断取外しの有無を目視で容易に確認することができる。
この発明を基板ボックス本体と蓋体との固定機構に適用するときも上記と同様の作用効果を奏する。
【図面の簡単な説明】
【図１】は従来例の斜視図である。
【図２】は実施例の斜視図である。
【図３】は図２の実施例における基板ボックス及び取付ブラケットの側面図である。
【図４】は図３のＸ−Ｘ断面図である。
【図５】は図３のＹ−Ｙ断面図である。
【図６】（ａ）は図３のＺ−Ｚ断面図であり、（ｂ）は位置決めピンの正面図である。
【図７】は図２の実施例の要部の分解斜視図である。
【図８】（ａ）は位置決め手段の他の実施例の直線溝の平面図であり、（ｂ）は同実施例の断面図である。
【図９】は、スライダーの後退阻止機構の他の実施例の断面図である。
【符号の説明】
Ａ：機枠
Ｂ，Ｃ：取付ブラケット
Ｄ：基板ボックス
２２ａ：係止部
２２ｂ：切欠き
３０：基板ボックス本体
３１：スライダー収納室
３２：ラチェット歯
４０：スライダー
４１：凸部
４２：ジグザグ溝
４３：ラチェット爪
４４：付勢ばね
５０：蓋板
５１：切欠き
５２：長孔
５３：楕円状の窪み
６０：位置決めピン
８１：直線溝
８２：窪み
８３：係止ボール
８４：付勢ばね
９２：ラックギヤ
９３：ピニオン
９４：弾性爪
【図１】
0003865582.tif 000002
【図２】
0003865582.tif 000003
【図３】
0003865582.tif 000004
【図４】
0003865582.tif 000005
【図５】
0003865582.tif 000006
【図６】
0003865582.tif 000007
【図７】
0003865582.tif 000008
【図８】
0003865582.tif 000009
【図９】
0003865582.tif 000010